(57)【特許請求の範囲】
【請求項１】
時針と分針とを有し、前記時針と前記分針とを用いて時刻を表示する時刻表示部と、
前記時針および前記分針とは異なる第１指針と、
数値で示された目盛りを備えた情報表示部と、
数値で示される物理量を前記第１指針と前記目盛りとを用いて表示する制御部と、
数値とは異なる情報を表示する第１表示部と、を含み、
前記制御部は、
前記目盛りの数値を、当該目盛りの数値に対して１０ｎ（ｎは０以上の整数）を乗算した値として用い、
数値で示される第１物理量を前記第１指針と前記目盛りとを用いて表示する場合と、数値で示され前記第１物理量とは異なる種類の第２物理量を前記第１指針と前記目盛りとを用いて表示する場合とで、前記ｎを異なる値にし、
前記第１表示部が前記情報を表示している場合、特定の数値で示された前記目盛りを前記第１指針に指示させる、
ことを特徴とする電子時計。
【請求項２】
前記第１物理量は、標高または気圧であり、
前記第２物理量は、時間である、
ことを特徴とする請求項１に記載の電子時計。
【請求項３】
前記情報は、特定の方位であることを特徴する請求項１または２に記載の電子時計。
【発明の詳細な説明】
【技術分野】
【０００１】
本発明は、電子時計に関する。
【背景技術】
【０００２】
特許文献１には、時針と分針と秒針とを用いて、時刻と、時刻とは異なる情報（高度、温度、気圧）とを表示する電子時計が記載されている。特許文献１に記載の電子時計は、高度を表示するときと、温度を表示するときと、気圧を表示するときとで、時針に対応する目盛りの桁と、分針に対応する目盛りの桁と、秒針に対応する目盛りの桁を、それぞれ変更する。
【先行技術文献】
【特許文献】
【０００３】
【特許文献１】特開２０１３−３２９１９号公報
【発明の概要】
【発明が解決しようとする課題】
【０００４】
特許文献１に記載の電子時計は、時針と分針と秒針とを用いて、時刻とは異なる情報を表示する。このため、特許文献１に記載の電子時計は、指針を用いて時刻とは異なる情報を表示する際、電子時計として最も基本的な機能である時刻表示を行えなくなる。
【０００５】
本発明は上述した事情に鑑みてなされたものであり、指針を用いて時刻とは異なる複数種類の情報を表示する際に時刻表示を継続可能にすることを解決課題とする。
【課題を解決するための手段】
【０００６】
本発明の電子時計の一態様は、時針と分針とを有し、前記時針と前記分針とを用いて時刻を表示する時刻表示部と、前記時針および前記分針とは異なる第１指針と、数値で示された目盛りを備えた情報表示部と、数値で示される物理量を前記第１指針と前記目盛りとを用いて表示する制御部と、数値とは異なる情報を表示する第１表示部と、を含み、前記制御部は、前記目盛りの数値を、当該目盛りの数値に対して１０ｎ（ｎは０以上の整数）を乗算した値として用い、数値で示される第１物理量を前記第１指針と前記目盛りとを用いて表示する場合と、数値で示され前記第１物理量とは異なる種類の第２物理量を前記第１指針と前記目盛りとを用いて表示する場合とで、前記ｎを異なる値にし、前記第１表示部が前記情報を表示している場合、特定の数値で示された前記目盛りを前記第１指針に指示させる、ことを特徴とする。
この態様によれば、時針および分針とは異なる第１指針と、目盛りとを用いて、第１物理量および第２物理量を表示するので、時針および分針で時刻を表示しつつ、第１物理量または第２物理量を表示できる。
また、この態様によれば、例えば、目盛りの数値「１」は、第１物理量を表示する場合には「１０００」（＝１×１０３）として用いられ、第２物理量を表示する場合には「１０」（＝１×１０１）として用いられる。よって、桁数が異なり種類も異なる２つの物理量を第１指針と目盛りを用いて表示する場合でも、目盛りの数値に対応する桁を変更することで、これら２つの物理量を視認しやすく表示できる。
【０００７】
上述した電子時計の一態様において、前記第１物理量は標高または気圧であり、前記第２物理量は時間であることが望ましい。
この態様によれば、標高と時間、または、気圧と時間という種類の異なる２つの物理量を視認しやすく表示できる。
【０００８】
上述した電子時計の一態様において、数値とは異なる情報を表示する第１表示部をさらに含み、前記制御部は、前記第１表示部が前記情報を表示している場合、特定の数値で示された前記目盛りを前記第１指針に指示させることが望ましい。
この態様によれば、上記作用効果に加えて、第１表示部が数値とは異なる情報を表示しているときには、第１指針が特定の数値（例えば、ゼロ）を表示することで、第１指針と目盛りとを用いた表示の無効性を示すことが可能になる。
【０００９】
上述した電子時計の一態様において、前記情報は特定の方位であることが望ましい。
この態様によれば、上記作用効果に加えて、表示部が特定の方位を表示しているときに、第１指針と目盛りとを用いた表示の無効性を示すことが可能になる。
【図面の簡単な説明】
【００１０】
【図１】本発明の実施形態に係る電子時計を含むＧＰＳの全体図である。
【図２】本実施形態に係る電子時計の一例を示す平面図である。
【図３】６時情報表示部を拡大して示す平面図である。
【図４】２時情報表示部を拡大して示す平面図である。
【図５】電子時計Ｗの構成図である。
【図６】６時情報表示部の一例を示す平面図である。
【図７】６時情報表示部の変形例を示す平面図である。
【図８】６時情報表示部の他の変形例を示す平面図である。
【図９】６時情報表示部のさらに他の変形例を示す平面図である。
【発明を実施するための形態】
【００１１】
＜第１実施形態＞
以下、図面を参照しながら本発明に係る実施の形態を説明する。なお、図面において各部の寸法や縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１２】
図１は、本実施形態に係るセンサー付き電子時計（以下、単に「電子時計」と称する）Ｗを含むＧＰＳの全体図である。電子時計Ｗは、外部信号の一例である電波を用いて現在地の位置情報と時刻情報とを求める。
【００１３】
電子時計Ｗは、ＧＰＳ衛星８からの電波（衛星信号）を受信して内部時計の計時時刻を修正する腕時計である。電子時計Ｗは、腕と接触する側の面（以下「裏面」と称する）の反対側の面（以下「表面」と称する）に時刻等を表示する。ＧＰＳ衛星８は、地球の上空において、所定の軌道上を周回する航法衛星である。ＧＰＳ衛星８は、航法メッセージが重畳された１．５７５４２ＧＨｚの電波（Ｌ１波）を地上に送信している。以降の説明では、航法メッセージが重畳された１．５７５４２ＧＨｚの電波を衛星信号という。衛星信号は、右旋偏波の円偏波である。
【００１４】
現在、約３１個のＧＰＳ衛星８（図１においては、４個のみを図示）が存在している。衛星信号がどのＧＰＳ衛星８から送信されたかを識別可能にするために、各ＧＰＳ衛星８は、Ｃ／Ａコード（Coarse／Acquisition Code）と呼ばれる１０２３ｂｉｔ（１ｍｓ周期）の固有のパターンを衛星信号に重畳する。各ｂｉｔは、＋１または−１のいずれかである。このため、Ｃ／Ａコードは、ランダムパターンのように見える。
【００１５】
ＧＰＳ衛星８は原子時計を搭載している。衛星信号には、原子時計で計時された極めて正確なＧＰＳ時刻情報が含まれている。地上のコントロールセグメントにより、各ＧＰＳ衛星８に搭載されている原子時計のわずかな時刻誤差が測定されている。衛星信号には、その時刻誤差を補正するための時刻補正パラメーターも含まれている。電子時計Ｗは、１つのＧＰＳ衛星８から送信された衛星信号（電波）を受信し、その中に含まれるＧＰＳ時刻情報と時刻補正パラメーターとを使用して得られた正確な時刻（時刻情報）を内部時刻として用いる。
【００１６】
衛星信号には、ＧＰＳ衛星８の軌道上の位置を示す軌道情報も含まれている。電子時計Ｗは、ＧＰＳ時刻情報と軌道情報とを使用して測位計算を行うことができる。
測位計算は、電子時計Ｗの内部時計の計時時刻にある程度の誤差が含まれていることを前提として行われる。すなわち、電子時計Ｗの三次元の位置を特定するためのｘ，ｙ，ｚパラメーターに加えて時刻誤差も未知数になる。そのため、電子時計Ｗは、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００１７】
図２は、電子時計Ｗを示す平面図である。
電子時計Ｗは、時針１と、分針２と、秒針３１と、を有している。文字板５には、１２時間制の目盛り５ａが環状に形成されている。時針１と分針２と文字板５にて時刻表示部１０が構成される。さらに電子時計Ｗは、計測表示針１１を有する。計測表示針１１は、後述する各種のセンサーの計測結果や、後述するクロノグラフ機能（ストップウォッチ機能）での計測結果を表示するために用いられる。
秒針３１は、電子時計Ｗの１０時側の円形の情報表示部（以下「１０時情報表示部」と称する）３に設けられている。１０時情報表示部３は、例えば、秒針３１にて現在時刻の秒を表示する。
【００１８】
電子時計Ｗは、１０時情報表示部３の他に、６時側の円形の情報表示部（以下「６時情報表示部」と称する）４と、２時側の円形の情報表示部（以下「２時情報表示部」と称する）７と、を有している。
【００１９】
図３は、６時情報表示部４を拡大して示す平面図である。
電子時計Ｗは、表示モードとして、時刻を表示する時刻表示モード（ＴＩＭＥ）と、標高を表示する標高表示モード（ＡＬＴ）と、気圧を表示する気圧表示モード（ＢＡＲ）と、方位を表示する方位表示モード（ＣＯＭ）と、オプション表示モード（ＯＰ）と、を有している。
なお、時刻表示モードでは、時刻表示に加え、クロノグラフ機能（ストップウォッチ機能）が有効となる。
また、オプション表示モードでは、例えば、脈拍センサーなどの生体情報を測定する機器が無線または有線で通信部１０４（図５参照）に接続される。オプション表示モードは、該機器が測定した生体情報を表示するモードである。なお、オプション表示モードは、生体情報を表示するモードに限らず適宜変更可能である。
６時情報表示部４は、表示モード（時刻表示モードと、標高表示モードと、気圧表示モードと、方位表示モードと、オプション表示モード）を第１表示針４２によって表示し、電池残量等を第２表示針４１によって表示する。
【００２０】
図４は、２時情報表示部７を拡大して示す平面図である。
２時情報表示部７は、標高表示モードでの標高、気圧表示モードでの気圧、オプション表示モードでの脈拍、および、ストップウォッチ機能での時間を、計測表示針１１と協働して、目盛り７４ａ〜７４ｊと計測表示針７１および７２によって表示する。
【００２１】
図５は、電子時計Ｗの構成図である。なお、図５では、電子時計Ｗが有する複数の表示部および各表示部の指針を駆動するステップモーターのうち、２時情報表示部７と、２時情報表示部７が有する計測表示針７１および７２を駆動するステップモーター５１のみが示されている。
【００２２】
電子時計Ｗは、図５に示すように、標高センサー１０１と、方位センサー１０２と、気圧センサー１０３とを含んでいる。
標高センサー１０１は、標高を計測する。方位センサー１０２は、北の方位を計測する。
気圧センサー１０３は、気圧を計測する。
標高および気圧は、それぞれ、数値で示される第１物理量の一例である。
北の方位は、特定の方位の一例であり、また、数値とは異なる情報の一例でもある。
【００２３】
電子時計Ｗは、さらに、脈拍センサー等と通信する通信部１０４と、衛星信号を受信する受信部１０５と、ユーザーの操作を受けるボタン１３〜１５と、２時情報表示部７の計測表示針７１および７２を駆動するステップモーター５１と、電子時計Ｗを制御する制御部１００と、を含んでいる。
【００２４】
制御部１００は、例えば、ＣＰＵ等のプロセッサーにて構成される。制御部１００は、例えば、不図示の内部時計で時刻（内部時刻）を計時し、受信部１０５が受信した衛星信号を用いて内部時刻を修正する。
【００２５】
ボタン１３は、時刻表示モード下でストップウォッチ機能を開始するためのユーザー操作（押下操作）と、ストップウォッチ機能を終了するためのユーザー操作（押下操作）を受ける。
ボタン１４は、表示モードを切り替えるためのユーザー操作（押下操作）を受ける。
ボタン１５は、標高表示モード下で標高の計測を開始するためのユーザー操作（押下操作）と、方位表示モード下で方位の計測を開始するためのユーザー操作（押下操作）と、気圧表示モード下で気圧の計測を開始するためのユーザー操作（押下操作）と、を受ける。なお、ボタン１５は、ボタン１３の代わりに、時刻表示モード下でストップウォッチ機能を開始するためのユーザー操作（押下操作）と、ストップウォッチ機能を終了するためのユーザー操作（押下操作）を受けてもよい。
【００２６】
制御部１００、標高センサー１０１、方位センサー１０２、気圧センサー１０３、通信部１０４、受信部１０５およびステップモーター５１を含む電気回路系１０７は、電池１０６を電源として駆動する。
【００２７】
＜表示モード＞
表示モードは、制御部１００によって管理される。制御部１００は、ユーザーのボタン１４に対する押下操作に応じて、表示モードを切り替える。
【００２８】
＜表示モードの表示および切り替え＞
図３に示すように、６時情報表示部４では、標高表示モードに対応する“ＡＬＴ”の領域４４ｂと、気圧表示モードに対応する“ＢＡＲ”の領域４４ｃと、方位表示モードに対応する“ＣＯＭ”の領域４４ｄが、“ＡＬＴ”の領域４４ｂ、“ＢＡＲ”の領域４４ｃ、“ＣＯＭ”の領域４４ｄの順に並べて配置されている。
【００２９】
また、“ＡＬＴ”の領域４４ｂの“ＢＡＲ”の領域４４ｃ側との反対側に、時刻表示モードに対応する領域（“ＴＩＭＥ”の領域）４４ａが配置されている。“ＣＯＭ”の領域４４ｄの“ＢＡＲ”の領域４４ｃ側との反対側に、オプション表示モードに対応する領域（“ＯＰ”の領域）４４ｅが配置されている。
【００３０】
第１表示針４２は、“ＴＩＭＥ”の領域４４ａを指示することで、表示モードが時刻表示モードであることを表示する。第１表示針４２は、“ＡＬＴ”の領域４４ｂを指示することで、表示モードが標高表示モードであることを表示する。第１表示針４２は、“ＢＡＲ”の領域４４ｃを指示することで、表示モードが気圧表示モードであることを表示する。第１表示針４２は、“ＣＯＭ”の領域４４ｄを指示することで、表示モードが方位表示モードであることを表示する。第１表示針４２は、“ＯＰ”の領域４４ｅを指示することで、表示モードがオプション表示モードであることを表示する。なお、第１表示針４２は、制御部１００にて制御される不図示のステップモーターにて駆動される。つまり、第１表示針４２の指示位置は、制御部１００によって制御される。
【００３１】
そして、第１表示針４２の回転方向（周回方向）において、“ＡＬＴ”の領域４４ｂと“ＢＡＲ”の領域４４ｃとの間の距離が、“ＣＯＭ”の領域４４ｄと“ＡＬＴ”の領域４４ｂとの間の距離よりも短くなっており、かつ、“ＢＡＲ”の領域４４ｃと“ＣＯＭ”の領域４４ｄとの距離が、“ＣＯＭ”の領域４４ｄと“ＡＬＴ”の領域４４ｂとの間の距離よりも短くなっている。ここで、第１表示針４２の回転方向（周回方向）における“ＣＯＭ”の領域４４ｄと“ＡＬＴ”の領域４４ｂとの間の距離は、“ＢＡＲ”の領域４４ｃを通らない、第１表示針４２の回転方向（周回方向）における“ＣＯＭ”の領域４４ｄと“ＡＬＴ”の領域４４ｂとの間の距離を意味する。
【００３２】
なお、日常生活では、一般的に、時刻表示モードの使用頻度が高い。このため、“ＴＩＭＥ”の領域４４ａ（時刻表示モードに対応）が、最も視認しやすい１２時の位置に配置されている。また、登山等のアウトドアスポーツでの利用シーンでは、標高表示モード、気圧表示モードおよび方位表示モードが利用される可能性が高い。
【００３３】
＜計測値の表示（その１：標高、気圧、脈拍、ストップウォッチ機能での時間）＞
標高表示モードでの標高、気圧表示モードでの気圧、オプション表示モードでの脈拍、および、ストップウォッチ機能での時間は、図２および図４に示した２時情報表示部７と、計測表示針１１とによって表示される。
【００３４】
図４に示すように、２時情報表示部７は、計測表示針７１および７２と、文字板７３と、を有している。
計測表示針７１および７２は、それぞれ、時針１および分針２とも異なる第１指針の一例である。
文字板７３は、数値で示された目盛り７４ａ〜７４ｊを備えた部材の一例である。
図４では、目盛り７４ａ〜７４ｊは、それぞれ、数値「０」〜「９」で示されている。
【００３５】
制御部１００は、数値で示される物理量（標高の計測値、気圧の計測値、脈拍の計測値、およびストップウォッチ機能での時間の計測値）を、計測表示針７１および７２と目盛り７４ａ〜７４ｊとを用いて表示する。この際、制御部１００は、目盛り７４ａ〜７４ｊの数値を、目盛り７４ａ〜７４ｊの数値に対して１０ｎ（ｎは０以上の整数）を乗算した値として用いる。
ここで、標高の計測値、気圧の計測値および脈拍の計測値の各々は、数値で示される第１物理量の一例である。
一方、ストップウォッチ機能での時間の計測値は、数値で示され第１物理量とは異なる種類の第２物理量の一例である。
【００３６】
制御部１００は、第１物理量を計測表示針７１および７２と目盛り７４ａ〜７４ｊとを用いて表示する場合と、第２物理量を計測表示針７１および７２と目盛り７４ａ〜７４ｊとを用いて表示する場合とで、上述したｎとして異なる値を用いる。
【００３７】
本実施形態では、制御部１００は、第１物理量を表示する場合、計測表示針７１と目盛り７４ａ〜７４ｊとの組み合わせについては、目盛り７４ａ〜７４ｊの数値（例えば「２」）を、その数値（「２」）に対して１０３（＝ｎ）（＝１０００）を乗算した値（「２０００」）として用いる。この場合、制御部１００は、上述したｎとして「３」を用いる。
一方、第２物理量を表示する場合、制御部１００は、計測表示針７１と目盛り７４ａ〜７４ｊとの組み合わせについては、目盛り７４ａ〜７４ｊの数値（例えば「２」）を、その数値（「２」）に対して１０１（＝ｎ）（＝１０）を乗算した値（「２０」）として用いる。この場合、制御部１００は、上述したｎとして「１」を用いる。
【００３８】
また、制御部１００は、第１物理量を表示する場合、計測表示針７２と目盛り７４ａ〜７４ｊとの組み合わせについては、目盛り７４ａ〜７４ｊの数値（例えば「２」）を、その数値（「２」）に対して１０２（＝ｎ）（＝１００）を乗算した値（「２００」）として用いる。この場合、制御部１００は、上述したｎとして「２」を用いる。
一方、第２物理量を表示する場合、制御部１００は、計測表示針７２と目盛り７４ａ〜７４ｊとの組み合わせについては、目盛り７４ａ〜７４ｊの数値（例えば「２」）を、その数値（「２」）に対して１００（＝ｎ）（＝１）を乗算した値（「２」）として用いる。この場合、制御部１００は、上述したｎとして「０」を用いる。
【００３９】
したがって、第１物理量（標高の計測値、気圧の計測値および脈拍の計測値のいずれか）が表示される場合、第１物理量の１０００の位の値が計測表示針７１で表示され、第１物理量の１００の位の値が計測表示針７２で表示される。
なお、第１物理量の１０の位の値および１の位の値については、制御部１００は、計測表示針１１を駆動するステップモーター（不図示）を駆動することによって、第１物理量の１０の位の値および１の位の値を、計測表示針１１と、ダイヤルリング１７に１００分割された目盛り（１００分割）と、を用いて表示する。
【００４０】
一方、第２物理量（ストップウォッチ機能での時間の計測値）が表示される場合、第２物理量における分の１０の位の値が計測表示針７１で表示され、第２物理量における分の１の位の値が計測表示針７２で表示される。
なお、第２物理量における秒の値については、制御部１００は、計測表示針１１を駆動するステップモーター（不図示）を駆動することによって、第２物理量における秒の値を、計測表示針１１と、文字板５に設けられた１２時間制の目盛り５ａと、を用いて表示する。この際、制御部１００は、計測表示針１１を１／５秒ごとに運針し６０秒で１周させる。
【００４１】
＜計測値の表示（その２：北の方位）＞
方位表示モードでの北の方位は、計測表示針１１によって指し示される。
本実施形態では、制御部１００は、方位センサー１０２の計測した北の方位を計測表示針１１が指し示すように、計測表示針１１を駆動するモーター（不図示）を駆動する。この際、制御部１００は、計測表示針７１および７２に目盛り７４ａ（数値「０」）を表示させる。
【００４２】
＜各表示モードでの動作＞
次に、各表示モードでの動作について説明する。
【００４３】
＜時刻表示モード＞
時刻表示モードでは、時刻は、時針１と、分針２と、１０時情報表示部３の秒針３１と、によって表示される。つまり、６時情報表示部４内の第１表示針４２が“ＴＩＭＥ”の領域４４ａを指示している場合（表示モードが時刻表示モードである場合）、時針１と分針２と１０時情報表示部３とによって時刻が表示される。なお、時針１と分針２とは、時刻表示モード以外のいずれの表示モード下でも、時刻（時と分）を示す。
【００４４】
なお、６時情報表示部４の文字板４ａには、図３に示すように、「計測中」を示す“ＭＥＡＳ”の文字４３ｂと、電子時計Ｗの電源である電池１０６の残量を示す電池残量メーター４３ｃが配置されている。
【００４５】
＜標高表示モード＞
制御部１００は、表示モードが標高表示モードである状況でボタン１５の押下を検知すると、標高センサー１０１に動作開始信号を出力して標高センサー１０１に標高の計測を開始させ、かつ、第２表示針４１が“ＭＥＡＳ”の文字４３ｂを示す位置を指示するように、第２表示針４１を駆動するステップモーター（不図示）を駆動する。
【００４６】
標高センサー１０１は、動作開始信号を受けると標高の計測を開始し、標高の計測を終了すると、標高の計測結果を制御部１００に出力する。制御部１００は、標高の計測結果を受けると、ステップモーター５１等を制御して、標高の計測結果を２時情報表示部７と計測表示針１１とを用いて表示する。
【００４７】
この際、制御部１００は、計測表示針７１と目盛り７４ａ〜７４ｊとの組み合わせについては、目盛り７４ａ〜７４ｊの数値を、その数値に対して１０３（＝ｎ）（＝１０００）を乗算した値として用いる。また、制御部１００は、計測表示針７２と目盛り７４ａ〜７４ｊとの組み合わせについては、目盛り７４ａ〜７４ｊの数値を、その数値に対して１０２（＝ｎ）（＝１００）を乗算した値として用いる。
このため、標高表示モード下で計測表示針７１と計測表示針７２が図４に示した位置を指示している場合、標高１４００ｍが示される。
【００４８】
さらに、制御部１００は、第２表示針４１が電池残量メーター４３ｃを示す位置を指示するように、第２表示針４１を駆動するステップモーター（不図示）を駆動する。
【００４９】
＜方位表示モード＞
制御部１００は、表示モードが方位表示モードである状況でボタン１５の押下を検知すると、方位センサー１０２に動作開始信号を出力して方位センサー１０２に方位の計測を開始させ、かつ、第２表示針４１が“ＭＥＡＳ”の文字４３ｂを示す位置を指示するように、第２表示針４１を駆動するステップモーター（不図示）を駆動する。
【００５０】
方位センサー１０２は、動作開始信号を受けると方位の計測を開始し、方位の計測を終了すると、方位の計測結果を制御部１００に出力する。制御部１００は、方位の計測結果を受けると、ステップモーター５１等を制御して、方位の計測結果（北の方位）を計測表示針１１に指示させ、かつ、計測表示針７１および７２に目盛り７４ａ（数値「０」）を表示させる。
【００５１】
この場合、北の方位を表示する計測表示針１１は、数値とは異なる情報を表示する第１表示部の一例となる。また、数値「０」で示された目盛り７４ａは、特定の数値で示された目盛りの一例となる。なお、特定の数値は「０」に限らず適宜変更可能である。
【００５２】
このように、計測表示針１１が北の方位（数値でない情報）を表示しているときに、計測表示針７１および７２が特定の数値「０」を表示するので、計測表示針７１および７２と目盛り７４ａ〜７４ｊとを用いた表示（数値表示）の無効性を示すことが可能になる。
【００５３】
制御部１００は、さらに、第２表示針４１が電池残量メーター４３ｃを示す位置を指示するように、第２表示針４１を駆動するステップモーター（不図示）を駆動する。
【００５４】
＜気圧表示モード＞
制御部１００は、表示モードが気圧表示モードである状況でボタン１５の押下を検知すると、気圧センサー１０３に動作開始信号を出力して気圧センサー１０３に気圧の計測を開始させ、かつ、第２表示針４１が“ＭＥＡＳ”の文字４３ｂを示す位置を指示するように、第２表示針４１を駆動するステップモーター（不図示）を駆動する。
【００５５】
気圧センサー１０３は、動作開始信号を受けると気圧の計測を開始し、気圧の計測を終了すると、気圧の計測結果を制御部１００に出力する。制御部１００は、気圧の計測結果を受けると、ステップモーター５１等を制御して、気圧の計測結果を２時情報表示部７と計測表示針１１とを用いて表示する。
【００５６】
この際、制御部１００は、計測表示針７１と目盛り７４ａ〜７４ｊとの組み合わせについては、目盛り７４ａ〜７４ｊの数値を、その数値に対して１０３（＝ｎ）（＝１０００）を乗算した値として用いる。また、制御部１００は、計測表示針７２と目盛り７４ａ〜７４ｊとの組み合わせについては、目盛り７４ａ〜７４ｊの数値を、その数値に対して１０２（＝ｎ）（＝１００）を乗算した値として用いる。
このため、気圧表示モード下で、計測表示針７１と計測表示針７２が図４に示した位置を指示している場合、気圧１４００ヘクトパスカル（ｈＰａ）が示される。
【００５７】
さらに、制御部１００は、第２表示針４１が電池残量メーター４３ｃを示す位置を指示するように、第２表示針４１を駆動するステップモーター（不図示）を駆動する。
【００５８】
＜時刻表示モードでのストップウォッチ機能＞
制御部１００は、表示モードが時刻表示モードである状況でボタン１３またはボタン１５の押下を検知すると、ストップウォッチ機能を開始する。
【００５９】
ストップウォッチ機能が開始されると、制御部１００は、ステップモーター５１等を制御して、計時結果（時間）を２時情報表示部７と計測表示針１１に表示させる。
【００６０】
この際、制御部１００は、計測表示針７１と目盛り７４ａ〜７４ｊとの組み合わせについては、目盛り７４ａ〜７４ｊの数値を、その数値に対して１０１（＝ｎ）（＝１０）を乗算した値として用いる。また、制御部１００は、計測表示針７２と目盛り７４ａ〜７４ｊとの組み合わせについては、目盛り７４ａ〜７４ｊの数値を、その数値に対して１００（＝ｎ）（＝１）を乗算した値として用いる。
このため、時刻表示モード下でストップウォッチ機能が実行されている状況で、計測表示針７１と計測表示針７２が図４に示した位置を指示している場合、１４分（ｍｉｎ）が示される。
【００６１】
その後、制御部１００は、ストップウォッチ機能を実行中にボタン１３またはボタン１５の押下を検知すると、時間の計測を停止し、２時情報表示部７の計測表示針７１および７２と、計測表示針１１との運針を停止する。
【００６２】
さらに、制御部１００は、第２表示針４１が電池残量メーター４３ｃを示す位置を指示するように、第２表示針４１を駆動するステップモーター（不図示）を駆動する。
【００６３】
次に、電子時計Ｗ全体について説明する。
電子時計Ｗは、時刻情報を含む電波を受信し、その時刻情報に基づいて表示時刻を修正する。電子時計Ｗには、ダイヤルリング１７の内周側に文字板５が配置され、ダイヤルリング１７の外周側には、ダイヤルリング１７と同心円状にベゼル１９が配置されている。
【００６４】
６時情報表示部４の文字板４ａは、図３に示すように、第１表示領域４４と第２表示領域４３とを有する。第１表示領域４４と第２表示領域４３は、互いに重複しないように隣り合って配置されている。
【００６５】
第２表示領域４３は、同心軸４０を中心とする中心角がθ１（＝１０８°）の扇状をなす範囲となっている。
【００６６】
第１表示領域４４は、同心軸４０を中心とする中心角がθ２（＝１２９°）の円弧状の範囲となっている。各表示領域４３および４４は、同心軸４０における回転角度によって複数の表示単位に分割されている。
【００６７】
第２表示領域４３には、電池残量を示す領域（４３ｃ）と、電子時計Ｗの動作状態を示す領域（４３ａおよび４３ｂ）とが設けられている。第２表示針４１は、電池残量を示す領域を指示することで電池残量を表示する。また、第２表示針４１は、電子時計Ｗの動作状態を示す領域を指示することで電子時計Ｗの動作状態を表示する。
【００６８】
電子時計Ｗの動作状態としては、時刻情報を含む電波の受信停止を意味する「無線停止中」と、第１表示針４２が表示する表示モードに対応する計測（標高や方位や気圧やストップウォッチ機能での時間の計測）を実行中であることを意味する「計測中」が含まれる。
【００６９】
本実施形態では、第２表示領域４３には、電池残量メーター４３ｃと、無線停止中を示すアイコン４３ａと、「計測中」を示す“ＭＥＡＳ”の文字４３ｂが設けられている。“ＭＥＡＳ”の文字４３ｂが位置する領域は、第１表示領域４４と隣り合っている。
【００７０】
第２表示針４１は、第２表示領域４３において、同心軸４０を中心とする回転により、電池残量と電子時計Ｗの動作状態とを択一的に表示する。
【００７１】
一方、第１表示針４２は、第１表示領域４４において、同心軸４０を中心とする回転により、現在の表示モード（時刻表示モード、標高表示モード、気圧表示モード、方位表示モード、オプション表示モードのいずれか）を表示する。
【００７２】
なお、各表示モードは、該表示モードでの測定値の種類も示す。例えば、時刻表示モードは、測定値の種類として時刻または時間を示し、標高表示モードは、測定値の種類として標高を示し、気圧表示モードは、測定値の種類として気圧を示し、方位表示モードは、測定値の種類として方位を示し、オプション表示モードは、測定値の種類として生体情報を示す。
【００７３】
第２表示針４１は、“ＭＥＡＳ”位置から“Ｅ”位置（空；エンプティー位置）までの１０８°の範囲を、“Ｆ”位置（フル位置）を中心に±５４°の範囲で移動して第２情報（電池残量と電子時計Ｗの動作状態）を表示する。
【００７４】
なお、電子時計Ｗを携帯したユーザーが航空機に搭乗中であるときのように無線機能（時刻情報を含む電波の受信機能）が使えないときに、ユーザーがボタンを操作すると（例えば、ユーザーがボタン１３とボタン１５の同時押し操作）、第２表示針４１が無線停止中を示すアイコン４３ａを指示するようになっている。
【００７５】
第１表示領域４４は、“ＴＩＭＥ”の領域４４ａと、“ＡＬＴ”の領域４４ｂと、“ＢＡＲ”の領域４４ｃと、“ＣＯＭ”の領域４４ｄと、“ＯＰ”の領域４４ｅとを含む。
第１表示領域４４では、第１表示針４２が各表示モードの表示単位（“ＴＩＭＥ”の領域、“ＡＬＴ”の領域、“ＢＡＲ”の領域、“ＣＯＭ”の領域、“ＯＰ”の領域）４４ａ〜４４ｅを択一的に指示することにより、現在の表示モードが表示される。
【００７６】
本実施形態では、帯状の円弧形をなす領域に表記された文字によって、各表示モードの表示単位４４ａ〜４４ｅが示されている。具体的には、表示単位４４ａ〜４４ｅとして、“ＴＩＭＥ”（時刻）、“ＡＬＴ”（標高）、“ＢＡＲ”（気圧）、“ＣＯＭ”（コンパス：方位）、“ＯＰ”（オプション）が示されている。
【００７７】
第１表示針４２の指示位置にて表示される表示モード、つまり、第１表示領域４４で表示される表示モードは、ボタン１４の押下操作で切り替えることができる。
例えば、ボタン１４が１回押されるごとに、第１表示針４２が、３０°右回転する。このため、ボタン１４が１回押されるごとに、表示モードが、時刻表示モード（“ＴＩＭＥ”モード）から標高表示モード（“ＡＬＴ”モード）、気圧表示モード（“ＢＡＲ”モード）、方位表示モード（“ＣＯＭ”モード）、オプション表示モード（“ＯＰ”モード）に順次切り替わる。
また、第１表示針４２がオプション表示モード（“ＯＰ”モード）を指し示している状況でボタン１４が押されると、第１表示針４２が逆転して“ＴＩＭＥ”の領域４４ａ（時刻表示モードの領域）へ移動する。
【００７８】
なお、図３に示した例では、第２表示針４１が電池残量“Ｆ”（フル）を示し、第１表示針４２が時刻表示モードを示している。
【００７９】
６時情報表示部４の文字板４ａの６時を示す方向には、カレンダーを表示する日車６を透視するための情報表示部５ｂが形成されている。情報表示部５ｂは、第３情報の一例であるカレンダーの日付を表示する。情報表示部５ｂが、同心軸４０を通り１２時側と６時側とを結ぶ直線上に、固定配置されることで、電子時計Ｗ全体のシンメトリーなデザインが実現される。
【００８０】
以上説明した本実施形態に係る電子時計Ｗによれば、制御部１００は、数値で示される物理量（標高の計測値、気圧の計測値、脈拍の計測値、およびストップウォッチ機能での時間の計測値）を、時針１および分針２とも異なる計測表示針７１および７２と目盛り７４ａ〜７４ｊとを用いて表示する。この際、制御部１００は、目盛り７４ａ〜７４ｊの数値を、目盛り７４ａ〜７４ｊの数値に対して１０ｎを乗算した値として用いる。
制御部１００は、第１物理量（標高の計測値、気圧の計測値および脈拍の計測値の各々）を計測表示針７１および７２と目盛り７４ａ〜７４ｊとを用いて表示する場合と、第２物理量（ストップウォッチ機能での時間の計測値）を計測表示針７１および７２と目盛り７４ａ〜７４ｊとを用いて表示する場合とで、上述したｎとして異なる値を用いる。
【００８１】
このように、時針１および分針２とも異なる計測表示針７１および７２と、目盛り７４ａ〜７４ｊとを用いて、第１物理量および第２物理量を表示するので、時針１および分針２で時刻を表示しつつ、第１物理量または第２物理量を表示できる。
また、例えば、目盛りの数値「１」は、計測表示針７１が第１物理量を表示する場合には「１０００」（＝１×１０３）として用いられ、第２物理量を表示する場合には「１０」（＝１×１０１）として用いられる。よって、桁数が異なり種類も異なる２つの物理量を指針と目盛りを用いて表示する場合でも、目盛りの数値に対応する桁を変更することで、これら２つの物理量を視認しやすく表示できる。
なお、ｎは上述した値に限らず、表示される物理量に応じて適宜変更可能である。
【００８２】
また、制御部１００は、計測表示針１１が北の方位を示しているとき、計測表示針７１および７２に目盛り７４ａ（数値「０」）を表示させる。計測表示針１１が北の方位を表示しているときに計測表示針７１および７２が数値「０」を表示することで、計測表示針７１および７２と目盛り７４ａ〜７４ｊとを用いた表示（数値表示）の無効性を示すことが可能になる。
【００８３】
なお、ユーザーは、電子時計Ｗの状態を把握する際に、第２表示針４１の指示位置を視認して電子時計Ｗの動作状態や電池残量を確認するとともに、第１表示針４２の指示位置を視認して現状の表示モードを確認する可能性がある。
本実施形態では、第１表示針４２が指示する第１表示領域４４と、第２表示針４１が指示する第２表示領域４３とが隣り合っている。
このため、ユーザーは、電子時計Ｗの状態を把握する際に、第１表示針４２が表示する表示モードと、第２表示針４１が表示する動作状態や電池残量を、一度に視認可能になり、視線を大きく動かす必要が低くなる。よって、第１表示針４２の表示内容と第２表示針４１の表示内容とについて高い視認性を得ることが可能になる。
【００８４】
本実施形態では、第１表示針４２と第２表示針４１は、同軸上で回転する。
このため、第１表示針４２と第２表示針４１が異なる軸でそれぞれ回転する場合に比べて、省スペース化を図ることが可能になる。
【００８５】
本実施形態では、第２表示針４１が表示する動作状態は、第１表示針４２が表示する表示モードに対応する計測を実行中であることを意味する計測中状態を含む。そして、計測中状態に対応する“ＭＥＡＳ”の文字４３ｂの領域は、第１表示針４２が指示する第１表示領域４４と隣り合っている。
このため、ユーザーは、互いに関連する、第１表示針４２が指示する表示モードと、その表示モードに対応する計測が実行中であるかの表示を、一度に視認可能になる。
【００８６】
本実施形態では、電池残量メーター４３ｃの“Ｆ”（フル）の隣に、無線停止中を示すアイコン４３ａが配置されている。
時刻情報を含む電波の受信（無線通信）は、比較的使用電力が大きい。このため、電池残量が満充電（“Ｆ”）に近いことが、無線通信を行うための条件となる。よって、無線通信を行っている間、第２表示針４１は、電池残量メーター４３ｃの“Ｆ”を指し示している確率が高いと推測できる。したがって、無線通信を行っている状況から無線停止に早く切り替わるためには、無線停止中を示すアイコン４３ａを、電池残量の“Ｆ”の隣に配置することが望ましい。
【００８７】
本実施形態では、第２表示領域４３および第１表示領域４４と重複しない領域に、同心軸４０を通るとともに１２時側と６時側とを結ぶ直線上に、第３情報を表示する第３表示領域として、カレンダーの日車６を表示する情報表示部５ｂが固定配置されている。このため、デザインのシンメトリー性を強調することができ、デザインの安定性を高めることができる。
【００８８】
（変形例）
本発明は、上述した実施形態に限定されるものではなく、例えば、次に述べるような各種の変形が可能である。また、次に述べる変形の態様の中から任意に選択された一または複数の変形を適宜組み合わせることもできる。
【００８９】
上述した実施形態では、図２および図３に示したように、電池残量メーター４３ｃは、“Ｅ”（空；エンプティー）と“Ｍ”（中；ミドル）と“Ｆ”（フル）の３段階に分かれていたが、電池残量メーター４３ｃの表示の段階数は３に限らず適宜変更可能である。
【００９０】
図６は、図２や図３に示したように、電池残量メーター４３ｃの表示を３段階に分けた場合の電池残量メーター４３ｃの分割角度の例を示した図である。図７は、電池残量メーター４３ｃの表示を４段階（“Ｅ”と“Ｍ１”（ミドル１）と“Ｍ２”（ミドル２）と“Ｆ”）に分けた場合の電池残量メーター４３ｃの分割角度の例を示した図である。ここで、電池残量としては、“Ｍ１”＜“Ｍ２”の関係が成り立つとする。なお、図６に示した例と図７に示した例のいずれの場合も、電池残量メーター４３ｃは、文字板４ａにおける中心角５４°の領域になっている。
【００９１】
図６に示したように、電池残量メーター４３ｃの表示を３段階に分けた場合、電池残量メーター４３ｃは、文字板４ａにおける中心角２７°で、“Ｅ”と“Ｍ”と“Ｆ”に分けられている。一方、図７に示したように、電池残量メーター４３ｃの表示を４段階に分けた場合、電池残量メーター４３ｃは、文字板４ａにおける中心角１８°で、“Ｅ”と“Ｍ１”と“Ｍ２”と“Ｆ”に分けられている。
【００９２】
この際、第２表示針４１を、３６０°を４ｎ（ｎは１５未満の自然数）で割った角度ごとに運針することが望ましい。以下、この点について説明する。
例えば、第２表示針４１を３６０°を４ｎで割った角度ごとに運針するように構成した場合、多くの時計で使用される、指針を３６０°を６０で割った角度ごとに運針させる駆動機構と部品の共通化を図ることは難しくなるが、第２表示針４１が一度の運針で進む距離を長くでき、表示の切り替えに伴う運針数（つまり、切り替え時間）を２／３に短縮可能になる。
【００９３】
また、本変形例に限らず、第２表示針４１を、３６０°を４ｎで割った角度ごとに運針させる構成の場合、第２表示針４１にて、６時情報表示部４における上下左右（ここで、上、下、左、右は、それぞれ、１２時側、６時側、９時側、３時側に対応）を対称的に表示可能になる。また、電池残量メーター４３ｃを図６や図７に示したように構成した場合でも、例えば、第２表示針４１を、３６０°を４ｎで割った角度ごとに運針させる構成とすることで、いずれの表示（３分割の電池残量メーターと４分割の電池残量メーター）にも対応可能になる。
【００９４】
図２や図３に示した６時情報表示部４において、アイコン４３ａが配置された領域と、“ＭＥＡＳ”の文字４３ｂが配置された領域が、図８に示したように入れ替わってもよい。また、図９に示したように、アイコン４３ａが配置された領域と“ＭＥＡＳ”の文字４３ｂが配置された領域との間に、電池残量メーター４３ｃが配置されてもよい。
図８や図９に示した例の場合、電池残量メーター４３ｃの隣が、“ＭＥＡＳ”の文字４３ｂの領域となる。
【００９５】
気圧、標高、方位等の計測は、登山やヨット航海時の利用シーンの状況（例えば、天候不順時での利用シーン）によっては、頻繁に使用されることが考えられる。このため、電池残量メーター４３ｃの隣が“ＭＥＡＳ”の文字４３ｂの領域であると、第２表示針４１の指示位置を、電池残量メーター４３ｃの領域から“ＭＥＡＳ”の文字４３ｂの領域に切り替えるために必要なステップモーター５１の駆動ステップ数を少なくできる。よって、消費電力の低減を図ることが可能になる。
【００９６】
上記実施形態において、“ＡＬＴ”の領域４４ｂと“ＢＡＲ”の領域４４ｃと“ＣＯＭ”の領域４４ｄの並び順は、適宜変更可能である。
【００９７】
また、上述した実施形態および変形例では、ステップモーター５１等の駆動源の電源としては、一次電池を一例として説明したが、本発明はこれに限定されるものではなく、電源はどのような形態であってもよい。例えば、電源として二次電池が用いられてもよい。この場合、二次電池は外部の商用電源１００Ｖによって充電されてもよい。また、電子時計Ｗに太陽電池パネルを内蔵し、太陽電池パネルで発電した電力で二次電池を充電してもよい。
【００９８】
上記実施形態では、標高センサー１０１と気圧センサー１０３とが設けられたが、気圧と標高との関係を示すテーブルが不図示の記憶装置に記憶され、制御部１００が、このテーブルから気圧に応じた標高を読み出す機能を有する場合、気圧センサー（圧力センサー）１０３が標高センサー１０１を兼ねることができる。また、制御部１００は、ＧＰＳによる測位計算によって地理情報（位置情報）を算出することで標高を決定し、その決定した標高を表示してもよい。この場合、標高センサー１０１を省略することができる。
【符号の説明】
【００９９】
１３〜１５…ボタン、５１…ステップモーター、７…２時情報表示部、７１，７２…計測表示針、７３…文字板、１００…制御部、１０１…標高センサー、１０２…方位センサー、１０３…気圧センサー、１０４…通信部、１０５…受信部、１０６…電池。
【図１】
0006631356.tif 000002
【図２】
0006631356.tif 000003
【図３】
0006631356.tif 000004
【図４】
0006631356.tif 000005
【図５】
0006631356.tif 000006
【図６】
0006631356.tif 000007
【図７】
0006631356.tif 000008
【図８】
0006631356.tif 000009
【図９】
0006631356.tif 000010